【手続補正書】
【提出日】平成17年7月4日(2005.7.4)
【手続補正１】
【補正対象書類名】明細書
【補正対象項目名】発明の名称
【補正方法】変更
【補正の内容】
【発明の名称】モバイル通信方法およびモバイル通信システム
【手続補正２】
【補正対象書類名】明細書
【補正対象項目名】特許請求の範囲
【補正方法】変更
【補正の内容】
【特許請求の範囲】
【請求項１】
ネットワーク識別情報を保持するモバイルノードと、該モバイルノードと通信可能な複数のアクセスルータを含む多段に接続された複数のルータとをそなえたモバイル通信システムにおけるモバイル通信方法であって、
該モバイルノードが、該複数のアクセスルータのうちの第１のアクセスルータと通信し、
該モバイルノードが、該ネットワーク識別情報の変化に基づいて、該モバイルノード自身の移動前の第１の仮アドレスを、第２のアクセスルータの移動後の第２の仮アドレスにするように該複数のルータ側に対して変更登録要求を送信し、
該多段に接続された複数のルータのうちの分岐ルータが、該第１の仮アドレスと該第２の仮アドレスとを対応付けて保持するキャッシュを生成し、
該分岐ルータが、該キャッシュに基づいて、該第１の仮アドレス宛のパケットを該第２の仮アドレス宛に転送するように構成されたことを特徴とする、モバイル通信方法。
【請求項２】
該モバイルノードが、該ネットワーク識別情報の変化に基づいて、該第１の仮アドレスを該第２の仮アドレスにするように該複数のアクセスルータのうちのいずれかのアクセスルータに対して該変更登録要求を送信し、
該分岐ルータが、予め登録した該第１の仮アドレスと該変更登録要求に含まれる該第２の仮アドレスとをバインディングして保持するキャッシュを生成し、
該分岐ルータが、送信元ノードから送信された該第１の仮アドレス宛のパケットを代理受信しそのパケットを該第２の仮アドレス宛に転送するように構成されたことを特徴とする、請求項１記載のモバイル通信方法。
【請求項３】
該モバイルノードが、該第１のアクセスルータおよび該第２のアクセスルータの双方と異なる第３のアクセスルータの属するネットワーク識別情報に基づいて、該第３のアクセスルータの第３の仮アドレスを生成し、
該モバイルノードが、該分岐ルータに対して、該第１の仮アドレスおよび該第３の仮アドレスを含む登録更新依頼を送信し、
該分岐ルータが、該登録更新依頼に含まれる該第１の仮アドレスについて該キャッシュを検索し、
該分岐ルータが、該第１の仮アドレスについての該キャッシュを生成している場合は該登録更新依頼に含まれる第３の仮アドレスを抽出し、
該分岐ルータが、抽出した該第３の仮アドレスと該第１の仮アドレスとを対応付けて該キャッシュを更新し、
該分岐ルータが、送信元ノードから送信された該第１の仮アドレス宛のパケットを代理受信しそのパケットを該キャッシュの該第３の仮アドレス宛に転送するように構成されたことを特徴とする、請求項１記載のモバイル通信方法。
【請求項４】
該モバイルノードが、
該モバイルノード自身の移動が生じ、かつその時点において該モバイルノードが他のモバイルノード又はサーバとの通信が発生しているときに、該変更登録要求を送信するように構成されたことを特徴とする、請求項１記載のモバイル通信方法。
【請求項５】
該モバイルノードがモバイル端末として構成されるとともに、該仮アドレスが気付アドレスとして構成され、
ネットワークに移動したモバイル端末が、ハンドオーバするときに、該第２のアクセスルータに対して、該モバイル端末の第１の気付アドレスを該第２の気付アドレスに変更するよう変更登録要求を送信し、
該分岐ルータが、該第１のアクセスルータおよび該第２のアクセスルータの接続位置に基づいて決定され、
該分岐ルータが、該第１の気付アドレスと該変更登録要求に含まれる該第２の気付アドレスとの対応関係を保持するキャッシュを生成し、
該分岐ルータが、送信元ノードから送信された該第１の気付アドレスの宛パケットを、該キャッシュに基づいて、該第２の気付アドレス宛に転送するように構成されたことを特徴とする、請求項１記載のモバイル通信方法。
【請求項６】
該モバイルノードがモバイル端末として構成されるとともに、該仮アドレスが気付アドレスとして構成され、
ネットワークにおける該複数のアクセスルータのうちの少なくとも１台のアクセスルータが、該アクセスルータ自身の属するネットワーク識別情報を含む広告メッセージを報知し、
該モバイル端末が、該広告メッセージに含まれるネットワーク識別情報に基づいて該第３の気付アドレスを生成し、
該モバイル端末が、ホームエージェントに対して該第３の気付アドレスを含む位置登録要求を送信し、
該ホームエージェントが、該ホームアドレスと該第３の気付アドレスとの対応関係を保持するキャッシュを生成し、
該ホームエージェントが、該送信元ノードから送信されたパケットであって該モバイル端末の第３の気付アドレスを有するパケットを、該キャッシュに基づいて該モバイル端末に対して転送するように構成されたことを特徴とする、請求項３記載のモバイル通信方法。
【請求項７】
該パケットを用いた通信が、インターネットプロトコルネットワークにおける物理的接続位置を変更した状態において通信可能なモバイルプロトコルを用いる場合、該モバイル端末は、該ホームエージェントヘの位置更新によらずに通信できるように構成されたことを特徴とする、請求項６記載のモバイル通信方法。
【請求項８】
該パケットを用いた通信が、インターネットプロトコルネットワークにおける物理的接続位置を変更した状態において通信可能なモバイルプロトコルを用いる場合、該モバイル端末は、該モバイル端末自身のホスト名と該モバイルノードの移動前の第１の仮アドレスとを対応付けて保持するドメイン・ネーム・システムの保持内容を変更しないように構成されたことを特徴とする、請求項６記載のモバイル通信方法。
【請求項９】
ネットワーク識別情報を保持するモバイルノードと、該モバイルノードと通信可能な複数のアクセスルータを含む多段に接続された複数のルータとをそなえたモバイル通信システムにおけるモバイル通信方法であって、
該複数のアクセスルータのうちの第１のアクセスルータと通信している該モバイルノードが、該ネットワーク識別情報の変化を検出し、
該モバイルノードが、該モバイルノードのホスト名と該モバイルノードの移動前の第１の仮アドレスとを対応づけて保持するドメイン・ネーム・システムに対して、該ネットワーク識別情報の変化に基づいて、該モバイルノードの移動先を示す第１の仮アドレスの変更登録要求を送信し、
該ドメイン・ネーム・システムが、該ドメイン・ネーム・システムの保持内容を更新し、
送信元ノードが、該ドメイン・ネーム・システムに対して該ホスト名に対応する第１の仮アドレスを問い合わせ、
該送信元ノードが、該第１の仮アドレス宛にパケットを送信するように構成されたことを特徴とする、モバイル通信方法。
【請求項１０】
ネットワーク識別情報を保持するモバイルノードと、該モバイルノードと通信可能な複数のアクセスルータを含む多段に接続された複数のルータとをそなえたモバイル通信システムであって、
該複数のルータのうちの該パケットを転送する少なくとも一台のルータが、
該モバイルノードの第１の気付アドレスを保持するキャッシュテーブルと、
該複数のアクセスルータを有するネットワークにおいて移動した該モバイルノードからの第１パケットと該送信元ノードからの第２パケットとを受信する第１受信部と、
該第１受信部にて受信された第２パケットが、該モバイルノードの第１の仮アドレスから第２の仮アドレスへの変更登録要求を含む場合は該キャッシュテーブルに保持された該第１の気付アドレスを該第２の気付アドレスに変更する変更処理部と、
該第１受信部にて受信された第１パケットを転送すべき次ホップルータのアドレスと、該第２パケットに含まれる宛先ネットワーク識別情報とを対応付けたルーティング情報に基づいて、該変更処理部にて変更された該第２の気付アドレス宛に該第２パケットを送信する第１送信部とをそなえ、
さらに、
該モバイルノードが、
該モバイルノード自身と通信しているアクセスルータの識別子を保持するルータ識別子保持部と、
該パケットを受信する第２受信部と、
該第２受信部にて受信されたパケットに含まれるネットワーク識別情報と該ルータ識別子保持部に保持された該第１のアクセスルータの識別子とに基づいて、通信相手側が該第１のアクセスルータから第２のアクセスルータに変更したことを検出する検出部と、
該検出部が変更を検出すると該第２のアクセスルータに対して、モバイルノードの第１の気付アドレスを第２の気付アドレスに変更するよう変更登録要求を送信する第２送信部とをそなえて構成されたことを特徴とする、モバイル通信システム。
【請求項１１】
該少なくとも一台のルータが、
該モバイルノードの第１の気付アドレスと該モバイルノードの第２の気付アドレスとの間における転送ルートのノードに設けられるように構成されたことを特徴とする、請求項１０記載のモバイル通信システム。
【請求項１２】
ネットワーク識別情報を保持するモバイルノードと、該モバイルノードと通信可能な複数のアクセスルータを含む多段に接続された複数のルータとをそなえたモバイル通信システムであって、
該複数のルータのうちの該パケットを転送する少なくとも一台のルータが、
該モバイルノードの第１の気付アドレスを保持するキャッシュテーブルと、
該複数のアクセスルータを有するネットワークにおいて移動した該モバイルノードからの第１パケットと該送信元ノードからの第２パケットとを受信する第１受信部と、
該第１受信部にて受信された第２パケットが、該モバイルノードの第１の気付アドレスから第２の気付アドレスへの変更登録要求を含む場合は該キャッシュテーブルを該第２の気付アドレスに変更する変更処理部と、
該第１受信部にて受信された第１パケットを転送すべき次ホップルータのアドレスと、該第２パケットに含まれる宛先ネットワーク識別情報とを対応付けたルーティング情報に基づいて、該変更処理部にて変更された該第２の仮アドレス宛に該第２パケットを送信する第１送信部とをそなえ、
さらに、
該モバイルノードが、
該モバイルノード自身と通信しているアクセスルータの識別子を保持するルータ識別子保持部と、
該パケットを受信する第２受信部と、
該第２受信部にて受信されたパケットに含まれるネットワーク識別情報と該ルータ識別子保持部に保持された該アクセスルータの識別子とに基づいて、通信相手側が該第１のアクセスルータから第２のアクセスルータに変更したことを検出する検出部と、
該検出部が変更を検出すると該第２のアクセスルータに対して、該モバイルノードの第１の気付アドレスを第２の仮アドレスに変更するよう変更登録要求を送信する第２送信部とをそなえて構成されたことを特徴とする、モバイル通信システム。
【請求項１３】
該ルータの該変更処理部が、
該モバイルノードが送信した該変更登録要求に対する確認応答を該モバイルノードに対して送信するように構成されたことを特徴とする、請求項１０又は請求項１２記載のモバイル通信システム。
【手続補正３】
【補正対象書類名】明細書
【補正対象項目名】０００１
【補正方法】変更
【補正の内容】
【０００１】
【発明の属する技術分野】
本発明は、例えばＩＰ（Internet Protocol）ネットワーク技術に関し、特に、ＩＰネットワークにおけるモバイル通信のサポート技術に用いて好適な、モバイル通信方法およびモバイル通信システムに関する。
【手続補正４】
【補正対象書類名】明細書
【補正対象項目名】００５８
【補正方法】変更
【補正の内容】
【００５８】
本発明は、このような課題に鑑み創案されたもので、モバイルノードＭＮが高速に移動したときに追従するとともに、既存のネットワーク構成の変更を伴わずに、ネットワークリソースの使用効率を向上させ、かつパケットロスの少ないデータ送受信効率を改善した、モバイル通信方法およびモバイル通信システムを提供することを目的とする。
【手続補正５】
【補正対象書類名】明細書
【補正対象項目名】００５９
【補正方法】変更
【補正の内容】
【００５９】
【課題を解決するための手段】
（１）このため、本発明のモバイル通信方法は、ネットワーク識別情報を保持するモバイルノードと、モバイルノードと通信可能な複数のアクセスルータを含む多段に接続された複数のルータとをそなえたモバイル通信システムにおけるモバイル通信方法であって、モバイルノードが、複数のアクセスルータのうちの第１のアクセスルータと通信し、モバイルノードが、ネットワーク識別情報の変化に基づいて、モバイルノード自身の移動前の第１の仮アドレスを、第２のアクセスルータの移動後の第２の仮アドレスにするように複数のルータ側に対して変更登録要求を送信し、多段に接続された複数のルータのうちの分岐ルータが、第１の仮アドレスと第２の仮アドレスとを対応付けて保持するキャッシュを生成し、分岐ルータが、キャッシュに基づいて、第１の仮アドレス宛のパケットを第２の仮アドレス宛に転送するように構成されたことを特徴としている。
（２）ここで、該モバイルノードが、該ネットワーク識別情報の変化に基づいて、該第１の仮アドレスを該第２の仮アドレスにするように該複数のアクセスルータのうちのいずれかのアクセスルータに対して該変更登録要求を送信し、該分岐ルータが、予め登録した該第１の仮アドレスと該変更登録要求に含まれる該第２の仮アドレスとをバインディングして保持するキャッシュを生成し、該分岐ルータが、送信元ノードから送信された該第１の仮アドレス宛のパケットを代理受信しそのパケットを該第２の仮アドレス宛に転送するように構成されてもよい。
（３）また、該モバイルノードが、該第１のアクセスルータおよび該第２のアクセスルータの双方と異なる第３のアクセスルータの属するネットワーク識別情報に基づいて、該第３のアクセスルータの第３の仮アドレスを生成し、該モバイルノードが、該分岐ルータに対して、該第１の仮アドレスおよび該第３の仮アドレスを含む登録更新依頼を送信し、該分岐ルータが、該登録更新依頼に含まれる該第１の仮アドレスについて該キャッシュを検索し、該分岐ルータが、該第１の仮アドレスについての該キャッシュを生成している場合は該登録更新依頼に含まれる第３の仮アドレスを抽出し、該分岐ルータが、抽出した該第３の仮アドレスと該第１の仮アドレスとを対応付けて該キャッシュを更新し、該分岐ルータが、送信元ノードから送信された該第１の仮アドレス宛のパケットを代理受信しそのパケットを該キャッシュの該第３の仮アドレス宛に転送するように構成されてもよい。
（４）さらに、該モバイルノードが、該モバイルノード自身の移動が生じ、かつその時点において該モバイルノードが他のモバイルノード又はサーバとの通信が発生しているときに、該変更登録要求を送信するように構成されてもよい。
（５）また、該モバイルノードがモバイル端末として構成されるとともに、該仮アドレスが気付アドレスとして構成され、ネットワークに移動したモバイル端末が、ハンドオーバするときに、該第２のアクセスルータに対して、該モバイル端末の第１の気付アドレスを該第２の気付アドレスに変更するよう変更登録要求を送信し、該分岐ルータが、該第１のアクセスルータおよび該第２のアクセスルータの接続位置に基づいて決定され、該分岐ルータが、該第１の気付アドレスと該変更登録要求に含まれる該第２の気付アドレスとの対応関係を保持するキャッシュを生成し、該分岐ルータが、送信元ノードから送信された該第１の気付アドレスの宛パケットを、該キャッシュに基づいて、該第２の気付アドレス宛に転送するように構成されてもよい。
（６）さらに、該モバイルノードがモバイル端末として構成されるとともに、該仮アドレスが気付アドレスとして構成され、ネットワークにおける該複数のアクセスルータのうちの少なくとも１台のアクセスルータが、該アクセスルータ自身の属するネットワーク識別情報を含む広告メッセージを報知し、該モバイル端末が、該広告メッセージに含まれるネットワーク識別情報に基づいて該第３の気付アドレスを生成し、該モバイル端末が、ホームエージェントに対して該第３の気付アドレスを含む位置登録要求を送信し、該ホームエージェントが、該ホームアドレスと該第３の気付アドレスとの対応関係を保持するキャッシュを生成し、
該ホームエージェントが、該送信元ノードから送信されたパケットであって該モバイル端末の第３の気付アドレスを有するパケットを、該キャッシュに基づいて該モバイル端末に対して転送するように構成されてもよい。
（７）また、該パケットを用いた通信が、インターネットプロトコルネットワークにおける物理的接続位置を変更した状態において通信可能なモバイルプロトコルを用いる場合、該モバイル端末は、該ホームエージェントヘの位置更新によらずに通信できるように構成されてもよい。
（８）さらに、該パケットを用いた通信が、インターネットプロトコルネットワークにおける物理的接続位置を変更した状態において通信可能なモバイルプロトコルを用いる場合、該モバイル端末は、該モバイル端末自身のホスト名と該モバイルノードの移動前の第１の仮アドレスとを対応付けて保持するドメイン・ネーム・システムの保持内容を変更しないように構成されてもよい。
【手続補正６】
【補正対象書類名】明細書
【補正対象項目名】００６０
【補正方法】変更
【補正の内容】
【００６０】
（９）また、本発明のモバイル通信方法は、複数のアクセスルータのうちの第１のアクセスルータと通信しているモバイルノードが、ネットワーク識別情報の変化を検出し、モバイルノードが、モバイルノードのホスト名とモバイルノードの移動前の第１の仮アドレスとを対応づけて保持するドメイン・ネーム・システムに対して、ネットワーク識別情報の変化に基づいて、モバイルノードの移動先を示す第１の仮アドレスの変更登録要求を送信し、ドメイン・ネーム・システムが、ドメイン・ネーム・システムの保持内容を更新し、送信元ノードが、ドメイン・ネーム・システムに対してホスト名に対応する第１の仮アドレスを問い合わせ、送信元ノードが、第１の仮アドレス宛にパケットを送信するように構成されたことを特徴としている。
【手続補正７】
【補正対象書類名】明細書
【補正対象項目名】００６１
【補正方法】削除
【補正の内容】
【手続補正８】
【補正対象書類名】明細書
【補正対象項目名】００６２
【補正方法】削除
【補正の内容】
【手続補正９】
【補正対象書類名】明細書
【補正対象項目名】００６３
【補正方法】変更
【補正の内容】
【００６３】
（１０）また、本発明のモバイル通信システムは、複数のルータのうちのパケットを転送する少なくとも一台のルータが、モバイルノードの第１の気付アドレスを保持するキャッシュテーブルと、複数のアクセスルータを有するネットワークにおいて移動したモバイルノードからの第１パケットと送信元ノードからの第２パケットとを受信する第１受信部と、第１受信部にて受信された第２パケットが、モバイルノードの第１の仮アドレスから第２の仮アドレスへの変更登録要求を含む場合はキャッシュテーブルに保持された第１の気付アドレスを第２の気付アドレスに変更する変更処理部と、第１受信部にて受信された第１パケットを転送すべき次ホップルータのアドレスと、第２パケットに含まれる宛先ネットワーク識別情報とを対応付けたルーティング情報に基づいて、変更処理部にて変更された第２の気付アドレス宛に第２パケットを送信する第１送信部とをそなえ、さらに、モバイルノードが、モバイルノード自身と通信しているアクセスルータの識別子を保持するルータ識別子保持部と、パケットを受信する第２受信部と、第２受信部にて受信されたパケットに含まれるネットワーク識別情報とルータ識別子保持部に保持された第１のアクセスルータの識別子とに基づいて、通信相手側が第１のアクセスルータから第２のアクセスルータに変更したことを検出する検出部と、検出部が変更を検出すると第２のアクセスルータに対して、モバイルノードの第１の気付アドレスを第２の気付アドレスに変更するよう変更登録要求を送信する第２送信部とをそなえて構成されたことを特徴としている。
（１１）ここで、該少なくとも一台のルータが、該モバイルノードの第１の気付アドレスと該モバイルノードの第２の気付アドレスとの間における転送ルートのノードに設けられるように構成されてもよい。
（１２）また、本発明のモバイル通信システムは、ネットワーク識別情報を保持するモバイルノードと、該モバイルノードと通信可能な複数のアクセスルータを含む多段に接続された複数のルータとをそなえたシステムであって、該複数のルータのうちの該パケットを転送する少なくとも一台のルータが、該モバイルノードの第１の気付アドレスを保持するキャッシュテーブルと、該複数のアクセスルータを有するネットワークにおいて移動した該モバイルノードからの第１パケットと該送信元ノードからの第２パケットとを受信する第１受信部と、該第１受信部にて受信された第２パケットが、該モバイルノードの第１の気付アドレスから第２の気付アドレスへの変更登録要求を含む場合は該キャッシュテーブルを該第２の気付アドレスに変更する変更処理部と、該第１受信部にて受信された第１パケットを転送すべき次ホップルータのアドレスと、該第２パケットに含まれる宛先ネットワーク識別情報とを対応付けたルーティング情報に基づいて、該変更処理部にて変更された該第２の仮アドレス宛に該第２パケットを送信する第１送信部とをそなえ、さらに、該モバイルノードが、該モバイルノード自身と通信しているアクセスルータの識別子を保持するルータ識別子保持部と、該パケットを受信する第２受信部と、該第２受信部にて受信されたパケットに含まれるネットワーク識別情報と該ルータ識別子保持部に保持された該アクセスルータの識別子とに基づいて、通信相手側が該第１のアクセスルータから第２のアクセスルータに変更したことを検出する検出部と、該検出部が変更を検出すると該第２のアクセスルータに対して、該モバイルノードの第１の気付アドレスを第２の仮アドレスに変更するよう変更登録要求を送信する第２送信部とをそなえて構成されたことを特徴としている。
（１３）ここで、該ルータの該変更処理部は、該モバイルノードが送信した該変更登録要求に対する確認応答を該モバイルノードに対して送信するように構成されてもよい。
【手続補正１０】
【補正対象書類名】明細書
【補正対象項目名】０２９３
【補正方法】変更
【補正の内容】
【０２９３】
【発明の効果】
以上詳述したように、本発明によれば、以下に述べるような効果ないしは利点がある。
（１）本発明のモバイル通信方法によれば、ネットワーク識別情報を保持するモバイルノードと、モバイルノードと通信可能な複数のアクセスルータを含む多段に接続された複数のルータとをそなえたモバイル通信システムにおけるモバイル通信方法であって、モバイルノードが、複数のアクセスルータのうちの第１のアクセスルータと通信し、モバイルノードが、ネットワーク識別情報の変化に基づいて、モバイルノード自身の移動前の第１の仮アドレスを、第２のアクセスルータの移動後の第２の仮アドレスにするように複数のルータ側に対して変更登録要求を送信し、多段に接続された複数のルータのうちの分岐ルータが、第１の仮アドレスと第２の仮アドレスとを対応付けて保持するキャッシュを生成し、分岐ルータが、キャッシュに基づいて、第１の仮アドレス宛のパケットを第２の仮アドレス宛に転送するように構成されているので、モバイルノードが高速に移動したときに追従するとともに、既存のネットワーク構成の変更を伴わずに、ネットワークリソースの使用効率を向上させ、かつパケットロスの少ないデータ送受信効率を改善できる。
【手続補正１１】
【補正対象書類名】明細書
【補正対象項目名】０３０１
【補正方法】変更
【補正の内容】
【０３０１】
さらに、本発明のモバイル通信方法によれば、複数のアクセスルータのうちの第１のアクセスルータと通信しているモバイルノードが、ネットワーク識別情報の変化を検出し、モバイルノードが、モバイルノードのホスト名とモバイルノードの移動前の第１の仮アドレスとを対応づけて保持するドメイン・ネーム・システムに対して、ネットワーク識別情報の変化に基づいて、モバイルノードの移動先を示す第１の仮アドレスの変更登録要求を送信し、ドメイン・ネーム・システムが、ドメイン・ネーム・システムの保持内容を更新し、送信元ノードが、ドメイン・ネーム・システムに対してホスト名に対応する第１の仮アドレスを問い合わせ、送信元ノードが、第１の仮アドレス宛にパケットを送信するように構成されているので、モバイルノードが移動後において、気付アドレスを有していれば、送信元ノードは、ドメイン・ネーム・システムにアクセスすることにより、モバイルノードの位置を知ることができ、ホームエージェントを用いずに、パケット転送が可能となる。
【手続補正１２】
【補正対象書類名】明細書
【補正対象項目名】０３０２
【補正方法】変更
【補正の内容】
【０３０２】
（９）本発明に関連するルータによれば、モバイルノードの第１の仮アドレスを保持するキャッシュテーブルと、複数のアクセスルータを有するネットワークにおいて移動したモバイルノードからの第１パケットと送信元ノードからの第２パケットとを受信する第１受信部と、第１受信部にて受信された第１パケットが、モバイルノードの第１の仮アドレスから第２の仮アドレスへの変更登録要求を含む場合はキャッシュテーブルに保持された第１の仮アドレスを第２の仮アドレスに変更する変更処理部と、第１受信部にて受信された第２パケットを転送すべき次ホップノードのアドレスと、第２パケットに含まれる宛先ネットワーク識別情報とを対応付けたルーティング情報に基づいて、変更処理部にて変更された第２の仮アドレス宛に第２パケットを送信する第１送信部とをそなえて構成されているので、事業者は、ネットワークの運営，サポートおよび維持するために設備コストを低減できる。
【手続補正１３】
【補正対象書類名】明細書
【補正対象項目名】０３０３
【補正方法】変更
【補正の内容】
【０３０３】
（１０）上記ルータによれば、モバイルノードがモバイル端末として構成されるとともに、仮アドレスが気付アドレスとして構成され、モバイル端末の第１の気付アドレスを保持するキャッシュテーブルと、複数のアクセスルータを有するネットワークにおいて移動したモバイル端末からの第１パケットと送信元ノードからの第２パケットとを受信する第１受信部と、第１受信部にて受信された第２パケットが、モバイル端末の第１の気付アドレスから第２の気付アドレスへの変更登録要求を含む場合はキャッシュテーブルに保持された第１の気付アドレスを第２の気付アドレスに変更する変更処理部と、第１受信部にて受信された第１パケットを転送すべき次ホップルータのアドレスと、第２パケットに含まれる宛先ネットワーク識別情報と、次ホップルータの位置が上流側又は下流側かを示すリンク情報とを対応付けたルーティング情報に基づいて、変更処理部にて変更された第２の気付アドレス宛に第２パケットを送信する第１送信部とをそなえて構成されているので、リソースを確実に確保でき、かつ、リソースを効率的に利用できる。
【手続補正１４】
【補正対象書類名】明細書
【補正対象項目名】０３０４
【補正方法】変更
【補正の内容】
【０３０４】
（１１）上記ルータによれば、モバイルノードがモバイル端末として構成されるとともに、仮アドレスが気付アドレスとして構成され、モバイル端末の第１の気付アドレスを保持するキャッシュテーブルと、移動したモバイル端末からの第１パケットと送信元ノードからの第２パケットとを受信する第１受信部と、第１受信部にて受信された第２パケットが、モバイル端末の第１の気付アドレスから第２の気付アドレスへの変更登録要求を含む場合はキャッシュテーブルに保持された第１の気付アドレスを第２の気付アドレスに変更する変更処理部と、第１受信部にて受信された第１パケットを転送すべき次ホップルータのアドレスと、第２パケットに含まれる宛先ネットワーク識別情報と、次ホップルータの位置が上流側又は下流側かを示すリンク情報とを対応付けたルーティング情報を保持するルーティングテーブルと、ルーティング情報に基づいて変更処理部にて変更された第２の気付アドレス宛に第２パケットを送信する第１送信部とをそなえて構成されているので、アドレスの階層化処理を不要にできる。
【手続補正１５】
【補正対象書類名】明細書
【補正対象項目名】０３０９
【補正方法】変更
【補正の内容】
【０３０９】
（２０）本発明に関連するモバイルノードによれば、モバイルノード自身と通信しているアクセスルータの識別子を保持するルータ識別子保持部と、パケットを受信する第２受信部と、第２受信部にて受信されたパケットに含まれるネットワーク識別情報とルータ識別子保持部に保持されたアクセスルータの識別子とに基づいて、通信相手側が第１のアクセスルータから第２のアクセスルータに変更したことを検出する検出部と、検出部が変更を検出すると第２のアクセスルータに対して、モバイルノードの第１の気付アドレスを第２の気付アドレスに変更するよう変更登録要求を送信する第２送信部とをそなえて構成されているので、モバイルノードが実際に移動が発生したときにのみ、第１の仮アドレスを用いた場合における品質と同等な効果を出せる。
【手続補正１６】
【補正対象書類名】明細書
【補正対象項目名】０３１０
【補正方法】変更
【補正の内容】
【０３１０】
（２１）本発明に関連するモバイルノードによれば、モバイルノード自身と通信しているアクセスルータの識別子を保持するルータ識別子保持部と、パケットを受信する第２受信部と、第２受信部にて受信されたパケットに含まれるネットワーク識別情報と、ルータ識別子保持部に保持されたアクセスルータの識別子と、受信した信号品質とに基づいて、通信相手側が第１アクセスルータから第２のアクセスルータに変更したことを検出する検出部と、検出部が変更を検出すると第２のアクセスルータに対して、モバイルノードの第１の気付アドレスを第２の仮アドレスに変更するよう変更登録要求を送信する第２送信部とをそなえて構成されているので、モバイルノードが移動しないときには何もメッセージが発生しないので、伝送路に無駄なトラフィックが発生せず、効率的にネットワークを運営又は維持が可能となる。
【手続補正１７】
【補正対象書類名】明細書
【補正対象項目名】０３１２
【補正方法】変更
【補正の内容】
【０３１２】
（２３）前記第２送信部が、登録要求のヘッダを、ＩＰｖ６ホップバイホップオプションヘッダ又はＩＰｖ６宛先オプションヘッダのうちの少なくとも一方を用いて送信するように構成されてもよく、このようにすれば、パケットロスを少なくでき、確実な通信が可能となる。
（２４）本発明のモバイル通信システムによれば、少なくとも一台のルータが、キャッシュテーブルと、第１受信部，変更処理部，第１送信部をそなえ、モバイルノードが、ルータ識別子保持部，第２受信部，検出部，第２送信部をそなえて構成されているので、階層化処理が実際に移動したモバイルノードについてのみ行なわれ、ネットワークへの負荷が軽減する。